【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
インターネットＦＡＸ通信手段とＧ３ファクシミリ通信手段を持つ画像通信装置において、
通信機から送られたＧ３ファクシミリ通信手順に基づいて、複数のインターネットＦＡＸモードのうちの相手機が有するインターネットＦＡＸモードを検出する検出手段と、
前記検出手段による検出に基づいて、前記インターネットＦＡＸ通信手段により通信する制御を行う制御手段とを有することを特徴とする画像通信装置。
【請求項２】
請求項１において、
前記制御手段は、前記Ｇ３ファクシミリ通信手段によるＧ３ファクシミリモードの交信を切断し、前記インターネットＦＡＸ通信手段による通信に移行することを特徴とする画像通信装置。
【請求項３】
請求項１において、
前記検出手段により検出した相手機のインターネットＦＡＸモードを記憶する記憶手段を有し、
インターネットＦＡＸ通信手は、前記記憶手段に記憶した相手機のインターネットＦＡＸモードに従って、画像を送信することを特徴とする画像通信装置。
【請求項４】
請求項１において、
前記Ｇ３ファクシミリ通信手段は、インターネットＦＡＸモードのどのモードへ切換えるか指示する信号を送信することを特徴とする画像通信装置。
【請求項５】
請求項１において、
前記Ｇ３ファクシミリ通信手段は、自機のインターネットアドレスを通知する信号を送信することを特徴とする画像通信装置。
【請求項６】
請求項１において、
前記検出手段により検出した相手機のインターネットＦＡＸモードを記憶する記憶手段と、
Ｅメールを送信する送信手段と、
読み取った画像を画像ファイルに変換する変換手段と、
Ｅメールに画像ファイルを添付する添付手段とを有し、
前記制御手段は、前記Ｇ３ファクシミリ通信手段が受信したＤＩＳ信号に基づく情報を相手機のインターネットＦＡＸのアドレスに対応させて前記記憶手段に記憶し、インターネットＦＡＸ通信手段による画像の送信時に、前記変換手段に、前記記憶手段に記憶された前記情報に従って送信画像を画像ファイルへ変換させることを特徴とする画像通信装置。
【請求項７】
請求項１において、
相手機との通信が最初の通信であることを判別する判別手段を有し、
前記制御手段は、前記判定手段による判別に基づいて、前記Ｇ３ファクシミリ通信手段による画像通信を行い、次回の通信から前記インターネットＦＡＸ通信手段により前記検出手段により検出したインターネットＦＡＸモードでの通信を実行するよう制御することを特徴とする画像通信装置。
【請求項８】
請求項１において、
相手機との通信が最初の通信であることを判別する判別手段を有し、
前記判別手段による判別に応じて、前記インターネットＦＡＸ通信手段による通信、もしくは、前記Ｇ３ファクシミリ通信手段による通信を実行することを特徴とする画像通信装置。
【請求項９】
請求項１において、
前記インターネットＦＡＸ通信手段は、シンプルモード、フルモード、リアルタイムモードでの通信が可能であることを特徴とする画像通信装置。
【請求項１０】
請求項９において、
前記制御手段は、前記相手機の持つインターネットＦＡＸモードの中からあらかじめ決められた優先順位で、前記シンプルモード、フルモード、リアルタイムモードのいずれかを選択し、その選択したモードで前記インターネットＦＡＸ通信手段に通信を行わせることを特徴とする画像通信装置。
【請求項１１】
請求項１において、
通信機から送られたＧ３ファクシミリ通信手順に基づいて、相手機のアドレス情報を識別する識別手段を有し、
前記インターネットＦＡＸ通信手段は、前記識別手段により識別したアドレス情報に基づいて通信することを特徴とする画像通信装置。
【請求項１２】
インターネットＦＡＸモードとＧ３ファクシミリモードを持つ画像通信方法において、
通信機から送られたＧ３ファクシミリ通信手順に基づいて、複数のインターネットＦＡＸモードのうちの相手機が有するインターネットＦＡＸモードを検出し、
該検出したインターネットＦＡＸモードに基づいて、前記インターネットＦＡＸを実行することを特徴とする画像通信方法。
【請求項１３】
インターネットＦＡＸモードとＧ３ファクシミリモードを持つ画像通信装置装置において、
前記Ｇ３ファクシミリモードの通信中に複数のインターネットＦＡＸモードのうちの所有するインターネットＦＡＸモードを相手機へ通知するモード通知手段と、
前記Ｇ３ファクシミリモードの通信中にインターネットＦＡＸアドレスを相手機へ通知するアドレス通知手段とを有することを特徴とする画像通信装置。
【請求項１４】
請求項１３において、
前記モード通知手段によりインターネットＦＡＸモードを相手機へ通知した後、その応答としてインターネットＦＡＸ通信への移行を指示する信号を相手機から受信したことに応じて、前記アドレス通知手段により前記インターネットＦＡＸアドレスを相手機へ通知することを特徴とする画像通信装置。
【請求項１５】
インターネットＦＡＸモードとＧ３ファクシミリモードを持つ画像通信方法において、
前記Ｇ３ファクシミリモードの通信中に複数のインターネットＦＡＸモードのうちの所有するインターネットＦＡＸモードを相手機へ通知し、
前記Ｇ３ファクシミリモードの通信中にインターネットＦＡＸアドレスを相手機へ通知することを特徴とする画像通信方法。
【手続補正２】
【補正対象書類名】明細書
【補正対象項目名】０００１
【補正方法】変更
【補正の内容】
【０００１】
【発明の属する技術分野】
本発明は、Ｇ３ファクシミリ通信及びインターネットＦＡＸ通信が可能な画像通信装置及び画像通信方法に関するものである。
【手続補正３】
【補正対象書類名】明細書
【補正対象項目名】００１４
【補正方法】変更
【補正の内容】
【００１４】
【課題を解決するための手段】
本発明の請求項１では、インターネットＦＡＸ通信手段とＧ３ファクシミリ通信手段を持つ画像通信装置において、通信機から送られたＧ３ファクシミリ通信手順に基づいて、複数のインターネットＦＡＸモードのうちの相手機が有するインターネットＦＡＸモードを検出する検出手段と、前記検出手段による検出に基づいて、前記インターネットＦＡＸ通信手段により通信する制御を行う制御手段を備えた。
【手続補正４】
【補正対象書類名】明細書
【補正対象項目名】００１５
【補正方法】変更
【補正の内容】
【００１５】
また、本発明の請求項１２では、インターネットＦＡＸモードとＧ３ファクシミリモードを持つ画像通信方法において、通信機から送られたＧ３ファクシミリ通信手順に基づいて、複数のインターネットＦＡＸモードのうちの相手機が有するインターネットＦＡＸモードを検出し、該検出したインターネットＦＡＸモードに基づいて、前記インターネットＦＡＸを実行する。
【手続補正５】
【補正対象書類名】明細書
【補正対象項目名】００１６
【補正方法】変更
【補正の内容】
【００１６】
また、本発明の請求項１３、１５では、インターネットＦＡＸモードとＧ３ファクシミリモードによる通信が可能な場合に、前記Ｇ３ファクシミリモードの通信中に複数のインターネットＦＡＸモードのうちの所有するインターネットＦＡＸモードを相手機へ通知し、前記Ｇ３ファクシミリモードの通信中にインターネットＦＡＸアドレスを相手機へ通知するようにした。
【手続補正６】
【補正対象書類名】明細書
【補正対象項目名】０１７６
【補正方法】変更
【補正の内容】
【０１７６】
上記説明によれば、複数のインターネットＦＡＸモードとＧ３ファクシミリモードを持つ画像通信装置、または、画像通信方法において、Ｇ３ファクシミリモードによる交信中に相手機の持つインターネットＦＡＸモードを検出し、相手機のインターネットＦＡＸモードを検出したことに基づいて、Ｇ３ファクシミリモードの交信を切断し、インターネットＦＡＸモードによる通信に移行するので、Ｇ３ファクシミリモードの通信において、相手機のインターネットＦＡＸモードが判明した後に通信費のかからないインターネットＦＡＸモードへ移行するので、通信コストを下げるとともに、相手機のインターネットＦＡＸモードに合う最適なモードで画像データを送信することができる。
【手続補正７】
【補正対象書類名】明細書
【補正対象項目名】０１７７
【補正方法】変更
【補正の内容】
【０１７７】
また、複数のインターネットＦＡＸモードとＧ３ファクシミリモードを持つ画像通信装置、または、画像通信方法において、Ｇ３ファクシミリモードによる交信中に相手機の持つインターネットＦＡＸモードを検出し、検出した相手機のインターネットＦＡＸモードに従って、インターネットＦＡＸモードで画像を送信するので、相手機が持つインターネットＦＡＸモードがわからなくても、Ｇ３ファクシミリモードにより相手機が持つインターネットＦＡＸモードを検出することができ、相手機のインターネットＦＡＸモードに合わせて最適なモードで画像データを送信できる。
【手続補正８】
【補正対象書類名】明細書
【補正対象項目名】０１７８
【補正方法】変更
【補正の内容】
【０１７８】
また、検出された前記相手機が持つインターネットＦＡＸモードを記憶し、記憶したインターネットＦＡＸモードに従って、インターネットＦＡＸモードで画像データ送信するので、相手機の機能が記憶されている場合は、Ｇ３ファクシミリモードで通信を行わずに始めからインターネットＦＡＸモードで相手機の持つインターネットＦＡＸモードに合わせた最適なモードで画像データを送信でき、相手機が持つインターネットＦＡＸモードを検出するＧ３ファクシミリモードの通信を省略した分、早く画像データを送信開始できるとともに通信費が安くなる。
【手続補正９】
【補正対象書類名】明細書
【補正対象項目名】０１７９
【補正方法】変更
【補正の内容】
【０１７９】
また、複数のインターネットＦＡＸモードとＧ３ファクシミリモードを持つ画像通信装置、または、画像通信方法において、Ｇ３ファクシミリモードの通信中に自機が持つインターネットＦＡＸモードと、インターネットＦＡＸアドレスを相手機へ通知するので、相手機において自機が持つインターネットＦＡＸモードと自機のインターネットアドレスがわからなくても、相手機との間でＧ３ファクシミリモードで通信すれば、自機が持つインターネットＦＡＸモードと自機のインターネットアドレスを相手機に通知することができ、相手からインターネット経由で画像データを受信できる。
【発明の効果】
以上のように本発明によれば、所有するインターネットＦＡＸモードをＧ３ファクシミリ通信手順により通知でき、更に、相手機が有するインターネットＦＡＸモードに合わせて最適なモードで画像データを送信することができる。